(57)【要約】【課題】自動的に収集したメータの計測値から監視用情報を自動的に作成し、各種のメータを自動的に監視できる監視システムを提供することにある。【解決手段】メータ２０をカメラ１０により読取り、画像処理で認識したメータ２０の計測値の変動を監視する監視システム１である。画像処理装置１１は、カメラ１０により撮像された映像情報から監視対象のメータ２０を抽出し、メータ２０の表示面に示す計測値を認識する。管理装置１２は、ネットワーク１３を介して画像処理装置１１により認識された計測値を収集し、時系列情報を作成してメータ２０の変動を監視する。【選択図】図１
2011081715.tif 000002
【特許請求の範囲】
【請求項１】
計測器の計測値を示す表示面を撮影するカメラと、
前記カメラからの映像情報から前記計測値を認識するための画像処理を行う画像処理手段と、
前記画像処理手段により認識された計測値に基づいて計測対象を監視するための時系列情報を生成し、前記時系列情報に基づいて計測器の計測値変動を監視する管理手段と
を具備したことを特徴とする監視システム。
【請求項２】
前記画像処理手段は、
計測器または時間帯により異なる時間間隔で、前記計測値を認識することを特徴とする請求項１に記載の監視システム。
【請求項３】
前記画像処理手段は、
計測器の計測値変動幅に基づいて、
前記計測値変動幅が大きい計測器に対しては相対的に短時間の時間間隔で前記計測値を認識し、前記計測値変動幅が小さい計測器に対しては相対的に長時間の時間間隔で前記計測値を認識することを特徴とする請求項２に記載の監視システム。
【請求項４】
前記計測器はアナログ式メータ又はデジタル式メータであり、
前記画像処理手段は、
前記カメラからの映像情報から、前記アナログ式メータのアナログ計測値を認識する画像処理または前記デジタル式メータのデジタル計測値を認識する画像処理のいずれかを実行するように構成されていることを特徴とする請求項１から請求項３のいずれか１項に記載の監視システム。
【請求項５】
前記画像処理手段は、
前記カメラの画角ずれを検知する手段と、
前記画角ずれに応じた前記計測値の誤差を補正する手段と
を含むことを特徴とする請求項１から請求項４のいずれか１項に記載の監視システム。
【請求項６】
前記計測器の表示面を含む領域を照明対象領域とする照明機器と、
前記カメラによる前記表示面の撮像動作に連携して前記照明機器を点灯・消灯を制御する照明制御手段と
を含むことを特徴とする請求項１から請求項５のいずれか１項に記載の監視システム。
【請求項７】
前記管理手段は、
前記時系列情報に基づいた計測器毎の計測値変動に関する情報を記憶手段に保存する手段と、
前記保存している情報を使用して、将来の計測値を予測する予測手段と
を含むことを特徴とする請求項１から請求項６のいずれか１項に記載の監視システム。
【請求項８】
前記画像処理手段は、
前記カメラからの映像情報と計測値との相関を学習して得られる学習情報を記憶し、
前記学習情報を使用して前記計測値を認識する画像処理を実行するように構成されていることを特徴とする請求項１から請求項７のいずれか１項に記載の監視システム。
【請求項９】
前記画像処理手段は、
前記カメラからの映像情報に含まれる計測器の識別情報に基づいて、前記計測器を特定する手段を含むことを特徴とする請求項１から請求項８のいずれか１項に記載の監視システム。
【請求項１０】
計測器の計測値を示す表示面を撮影するカメラを使用する監視システムに適用する監視方法であって、
前記カメラからの映像情報から前記計測値を認識するための画像処理と、
前記画像処理により認識された計測値に基づいて計測対象を監視するための時系列情報を生成する処理と、
前記時系列情報に基づいて計測器の計測値変動を監視する処理と
を実行することを特徴とする監視方法。
【発明の詳細な説明】
【技術分野】
【０００１】
本発明は、特にカメラを使用して計測器の計測値を監視する監視技術に関する。
【背景技術】
【０００２】
従来、例えば工場やビルなどの施設では、空調機器等の各種の機器を監視するための各種の計測器（以下、メータと表記する場合がある）が取り付けられた盤と称する設備が配置されている。具体的には、制御盤や配電盤などであり、電力量計や温度計などの各種メータが組み込まれている。
【０００３】
近年、省エネルギー対策などの推進のために、各種メータの計測値（電力量、温度値、電圧値、電流値など）を収集して集計し、省エネルギー効果を測定することなどが要求されている。このため、できるだけ人手を要することなく、効率的に各種メータの計測値を収集できる方法が望ましい。
【０００４】
各種メータの計測値を自動的に収集できる機器を盤に取り付けることは可能であるが、既存の盤を改造することになり、コスト面などの理由から容易に実現することは困難である。そこで、盤の改造を要することなく、自動的にメータの計測値を収集する方法として、カメラを利用して既存のメータの値を読み取るメータ認識システムが提案されている（例えば、特許文献１を参照）。
【先行技術文献】
【特許文献】
【０００５】
【特許文献１】特開２００６−２７７６０８号公報
【発明の概要】
【発明が解決しようとする課題】
【０００６】
前述のメータ認識システムを使用することにより、盤の改造を要することなく、自動的にメータの計測値を収集する方法を実現することができる。しかしながら、単にメータの計測値を収集するだけでは、例えば省エネルギー効果を監視するための情報を取得することはできない。
【０００７】
そこで、本発明の目的は、自動的に収集したメータの計測値から監視用情報を自動的に作成し、各種のメータを自動的に監視できる監視システムを提供することにある。
【課題を解決するための手段】
【０００８】
本発明の観点は、例えば工場の配電盤などに取り付けられた各種メータをカメラにより読取り、画像処理で認識したメータの計測値の変動を監視する監視システムである。
【０００９】
本発明の観点に従った監視システムは、計測器の計測値を示す表示面を撮影するカメラと、前記カメラからの映像情報から前記計測値を認識するための画像処理を行う画像処理手段と、前記画像処理手段により認識された計測値に基づいて計測対象を監視するための時系列情報を生成し、前記時系列情報に基づいて計測器の計測値変動を監視する管理手段とを備えた構成である。
【発明の効果】
【００１０】
本発明によれば、自動的に収集したメータの計測値から、例えばサーバにより監視用情報を自動的に作成し、各種のメータを自動的に監視できる。
【図面の簡単な説明】
【００１１】
【図１】本発明の実施形態に関する監視システムの構成を説明するためのブロック図。
【図２】本実施形態に関する画像処理の手順を説明するためのフローチャート。
【図３】本実施形態に関する図２に示す画像処理の手順に対応する概念図。
【図４】本実施形態に関する画像処理の手順を説明するためのフローチャート。
【図５】本実施形態に関する図４に示す画像処理の手順に対応する概念図。
【図６】本実施形態の変形例に関する画角ずれ補正を説明するための図である。
【図７】本実施形態の変形例に関する照明制御との連携を説明するための図である。
【図８】本実施形態の変形例に関し、針の角度と計測値との相関を学習する機能を説明するための図。
【図９】本実施形態の変形例に関し、カメラからの映像情報からメータを探索する機能を説明するための図。
【図１０】本実施形態の変形例に関し、メータの種類を識別する機能を説明するための図。
【発明を実施するための最良の形態】
【００１２】
以下図面を参照して、本発明の実施形態を説明する。
【００１３】
［システムの構成］
図１は、本実施形態に関する監視システムの要部を示すブロック図である。
【００１４】
図１に示すように、本実施形態の監視システム１は、カメラ１０、画像処理装置１１、管理装置１２、及びネットワーク１３により構成されている。カメラ１０は、例えば広角レンズを有する広角カメラや、ＰＴＺ（パン・チルト・ズーム）方式のＰＴＺカメラなどの監視用カメラである。ＰＴＺカメラは、首振り機能、ズーム機能、画角制御機能を有する。本実施形態では、カメラ１０は、例えば工場やビルの機械室や設備管理室に配置されており、配電盤や分電盤などの盤設備２の盤面やメータ２０を撮像できる位置に取り付けられている。
【００１５】
メータ２０は、例えば電力量を計測する電力量計や、水量を計測する水量計などの各種の計測器である。メータ２０は、図１に示すような計測値を針で示すアナログ式メータや、計測値を数字で示すデジタル式メータなどの各種の表示方式がある。
【００１６】
画像処理装置１１は、例えば工場やビルの管理センタなどに設置されているコンピュータ（ハードウェア及びソフトウェア）から構成されており、後述するように、カメラ１０に撮像された映像情報からメータ２０の計測値を認識するための画像処理を実行する。
【００１７】
管理装置１２は例えば監視用サーバであり、監視対象である盤設備２の場所から遠隔地に設置されている。管理装置１２は、インターネットやＬＡＮなどのネットワーク１３を介して画像処理装置１１に接続し、画像処理装置１１により認識されたメータ２０毎の計測値を収集する。なお、本実施形態では便宜的に、ネットワーク１３は、画像処理装置１１から出力される認識結果（計測値）である情報を管理装置１２に伝送するための通信装置を含む構成であるとする。管理装置１２は、ネットワーク１３を介して受信したメータ２０毎の計測値から時系列情報を作成し、計測対象（例えば消費電力量など）の変動状態を監視する。
【００１８】
［システムの監視動作］
図２は、本実施形態のシステム１において、画像処理装置１１による画像処理（デジタル画像処理）の手順を説明するためのフローチャートである。図３は、各画像処理手順に対応する概念図である。
【００１９】
まず、システム１は、カメラ１０として広角カメラを使用する場合には、複数のメータ２０を同時に撮像する。また、システム１は、カメラ１０としてＰＴＺカメラを使用する場合にはメータ２０毎に撮像し、各メータ２０を巡回して撮像する。画像処理装置１１は、いずれのカメラの場合でも、カメラ１０により撮像された映像情報を画像処理し、各メータ２０に表示される計測値を認識する。
【００２０】
ここでは、図３（Ａ）に示すように、計測値を文字（数字）で表示する各メータ２０をカメラ１０により撮像する場合を想定する。画像処理装置１１は、図３（Ａ）に示すように、画像処理のフィルタ処理に含まれる輝度伸張処理（濃度処理）を実行する（ステップＳ１）。図３（Ａ）において、マスク領域は、メータの映像が本来存在しない領域であり、カメラ１０の画角ずれの発生を判定するための領域である。さらに、画像処理装置１１は、図３（Ｂ）に示すように、メータの輪郭を抽出するためのエッジ抽出処理を実行する（ステップＳ２）。
【００２１】
次に、画像処理装置１１は、図３（Ｃ）に示すように、エッジ抽出された画像に対する２値化処理を実行する（ステップＳ３）。この２値化処理された画像に対して、画像処理装置１１は、図３（Ｄ）に示すように、各メータの図形成分を認識するためのラベリング処理を実行する（ステップＳ４）。この後、画像処理装置１１は、図３（Ｅ）に示す矩形処理及び同図（Ｆ）に示す文字領域抽出処理を含むメータ抽出処理を実行する（ステップＳ５）。
【００２２】
以上のようなメータ抽出処理により、画像処理装置１１は、図３（Ｇ）に示すように、各メータ２０の表示面を撮像して得られた文字領域から計測値である文字列を認識する文字認識処理を実行する（ステップＳ６）。画像処理装置１１により認識された各メータ２０の計測値（文字列情報）は、ネットワーク１３を介して管理装置１２に伝送される。管理装置１２は、メータ２０毎の計測値から時系列情報を作成し、計測対象（例えば消費電力量など）の変動状態を監視する。
【００２３】
図４は、本実施形態のシステム１において、図１に示すように、計測値を針で表示するメータ２０をカメラ１０により撮像する場合を想定した画像処理手順を説明するためのフローチャートである。図５は、図４に示す各画像処理手順に対応する概念図である。
【００２４】
この場合でも、画像処理装置１１は、前述と同様に、輝度伸張処理、エッジ抽出処理、２値化処理、ラベリング処理、メータ抽出処理のそれぞれを順次実行する（ステップＳ１１〜Ｓ１５）。即ち、画像処理装置１１は輝度伸張処理後に、メータの輪郭を抽出するためのエッジ抽出処理を実行する（ステップＳ１２）。次に、画像処理装置１１は、図５（Ａ）に示すように、エッジ抽出された画像に対する２値化処理を実行し、この２値化処理された画像に対するラベリング処理を実行する（ステップＳ１３，Ｓ１４）。この後、画像処理装置１１は、図５（Ｂ）に示すように、針の画像以外を除去するメータ抽出処理を実行する（ステップＳ１５）。
【００２５】
次に、画像処理装置１１は、図５（Ｃ）に示すように、メータ２０の針の図形を抽出するための針抽出処理（直線抽出処理）を実行する（ステップＳ１６）。画像処理装置１１は、抽出した針の角度を算出し、当該角度に基づいて計測値を算出する（ステップＳ１７）。このとき、カメラ１０の画角ずれによる補正処理を実行する（ステップＳ１８）。そして、画像処理装置１１は、メータ２０の針の角度に基づいた計測値を読み取り値として出力する（ステップＳ１９）。画像処理装置１１により読み取り値として出力されたメータ２０の計測値（針の角度での表示情報）は、ネットワーク１３を介して管理装置１２に伝送される。
【００２６】
以上のようにして本実施形態のシステムは、広角カメラやＰＴＺカメラなどの監視用カメラ１０により、各メータ２０の表示面を撮像し、撮像された映像情報を画像処理することで各メータ２０に文字列や針の角度などで表示される計測値を認識する。管理装置１２は、メータ２０毎に認識された計測値を収集し、各計測値から時系列情報を作成することで、計測対象（例えば消費電力量など）の変動状態を監視することができる。
【００２７】
なお、前述したように、カメラ１０として広角カメラを使用する場合には、複数のメータ２０を同時に撮像することができる。また、カメラ１０としてＰＴＺカメラを使用する場合には、一定間隔で各メータ２０を巡回して撮像することができる。即ち、各メータ２０から計測値を読み込むタイミングを、カメラ１０の種類に応じて設定することが可能である。
【００２８】
（第１の変形例）
本実施形態の変形例として、カメラ１０としてＰＴＺカメラを使用する場合に、固定のタイミングや巡回間隔で監視するだけでなく、各メータの変動幅を学習し、自動で最適な巡回間隔での監視を行う監視システム１である。
【００２９】
具体的には、例えばメータ１を空調関係の計測器とし、メータ２を照明関係の計測器とし、メータ３を設備関係の計測器とする。監視システム１は、例えば夏の昼の巡回では、一番激しく電力を消費するメータ１を細かく監視し、次に設備関係のメータ３を細かく監視する。具体例としては、監視システム１は、メータ１からメータ２、メータ３と巡回し、さらにメータ１からメータ１、メータ３、メータ１、メータ１と巡回し、メータ２からメータ３へと巡回する。
【００３０】
また、監視システム１は、例えば秋の夜間の巡回では、一番激しく電力を消費するメータ２を細かく監視し、次に設備関係のメータ３を細かく監視する。具体例としては、監視システム１は、メータ１からメータ２、メータ３、メータ２と巡回し、さらにメータ２からメータ３、メータ２、メータ１、メータ２、メータ３へと巡回する。
【００３１】
以上要するに本変形例の方法によるシステム１は、オフィス、工場、デパートなどの場所毎に異なる消費電力特性などを学習するとともに、季節や時間帯毎の特性も学習する。このような学習結果に基づいて、システム１は、最適な時間間隔と巡回の順番で、ＰＴＺカメラを使用したカメラ１０を巡回させることにより、各メータの監視動作の多様化を図ることが可能となる。
【００３２】
（第２の変形例）
図６（Ａ）〜（Ｄ）は、本実施形態の変形例で、カメラ１０の画角ずれ補正を説明するための図である。
【００３３】
本変形例は、図６（Ａ）に示すような針の角度に応じた計測値を示すアナログ式メータを想定し、カメラ１０の撮像方向に応じて発生する画角ずれの補正処理に関する。即ち、図６（Ｃ）に示すように、カメラ１０によりメータ２０の表示面を真正面から撮像した場合と比較して、斜め方向から撮像した場合にはメータ２０の表示面に示す針の角度が異なる。なお、図６（Ｂ）は、カメラ１０によりメータの表示面を左斜め方向から撮像した場合である。また、図６（Ｄ）は、カメラ１０によりメータの表示面を下斜め方向から撮像した場合である。
【００３４】
このような場合、画像処理装置１１は、カメラ１０の画角ずれを検知し、この画角ずれ量に基づいて針の角度に応じた読み取り値（計測値）を補正する。これにより、カメラ１０によりメータ２０の表示面を斜め方向から撮像した場合には、カメラ１０の画角ずれに応じた誤差が発生する読み取り値を補正するため、カメラ１０の撮像方向により異なるメータ２０からの読み取り値（計測値）の変動を補償することができる。
【００３５】
（第３の変形例）
図７は、本実施形態の変形例で、照明制御との連携機能を説明するための図である。
【００３６】
本変形例は、複数種のメータ２０ａ，２０ｂを監視する場合に、監視動作と連携してメータ２０ａ，２０ｂの表示面の照明を制御する照明制御を行うシステムである。なお、メータ２０ａ，２０ｂはそれぞれ、例えば空調関係のメータ１及び照明関係のメータ２である。
【００３７】
画像処理装置１１は、カメラ１０によりメータ２０ａの表示面から計測値を読み取る場合に、照明制御装置１４を介して、監視対象であるメータ２０ａの表示面を照らす照明機器１５を点灯させる。このとき、画像処理装置１１は、メータ２０ｂを監視していない場合には、照明制御装置１４を介してメータ２０ｂの表示面を照らす照明機器１５を消灯させる。
【００３８】
一方、画像処理装置１１は、カメラ１０によりメータ２０ｂの表示面から計測値を読み取る場合に、照明制御装置１４を介して、監視対象であるメータ２０ｂの表示面を照らす照明機器１５を点灯させる。このとき、画像処理装置１１は、メータ２０ａを監視していない場合には、照明制御装置１４を介してメータ２０ａの表示面を照らす照明機器１５を消灯させる。
【００３９】
以上のように本変形例によれば、メータ２０ａ，２０ｂの監視動作と連携してメータ２０ａ，２０ｂの表示面の照明を制御する照明制御を連携させることにより、監視対象のメータに対するカメラ１０の確実な撮像動作を実現できる。なお、メータ２０ａ，２０ｂのいずれも監視していないときには、画像処理装置１１は、それぞれに対応する照明機器１５を消灯させる。これにより、照明に要する無駄な消費電力を節約することができる。さらに、監視対象のメータに対する読み取りを終了すると、対応する照明機器を消灯する。これにより、無駄な消費電力の節約と共に、別のメータに対する読み取りを開始するときに、照明の反射を防止する効果もある。
【００４０】
（第４の変形例）
本変形例の監視システム１では、管理装置１２は、過去のメータの計測値変動を学習し、将来のメータの計測値を予測する機能を有する構成である。具体的には、例えば電力量計などのメータ２０は、計測値が０、１、２、３、４、５、６、７、８、９の順番で増加し、例えば「５６４１８」という計測値に対して、次の計測値が「５６４１９」となることは確定している。また、管理装置１２は、親メータの計測値を読み取ったときに、親メータに属する子メータの計測値を按配により推定する機能を有する。
【００４１】
以上要するに、本変形例のシステム１であれば、管理装置１２は、計測値の予測又は推定する機能を利用して、画像処理装置１１により読み取られる計測値のエラーを修正することが可能となる。従って、カメラ１０の撮像動作や画像処理装置１１の画像処理に変動が発生した場合でも、管理装置１２は、計測値の予測又は推定する機能を利用して、当該変動を補償することが可能となる。
【００４２】
（第５の変形例）
図８（Ａ），（Ｂ）は、本実施形態の変形例で、特にメータの針の角度と計測値との相関を学習する機能を説明するための図である。
【００４３】
本変形例のシステム１は、メータ２０の読み取り値（計測値）と、カメラからの映像情報であるメータ２０の状態との相関を学習し、この学習情報を保存する画像処理装置１１を有する構成である。画像処理装置１１は、次のメータの読み取り動作時に、当該保存した学習情報を使用して、メータ２０の読み取り値（計測値）を認識する。
【００４４】
具体的には、図８（Ａ），（Ｂ）に示すように、目盛り板（計測値の表示面）は、メータ毎に異なる。そこで、画像処理装置１１は、メータの針の角度と目盛りの値（計測値）との相関を示す学習情報をテーブル情報として保存し、カメラからの映像情報を画像処理するときに当該テーブル情報を参照する。即ち、画像処理装置１１は、メータ２０の状態であるメータの針の角度と計測値との相関から、メータ２０が示す計測値を読み取る。
【００４５】
以上要するに、本変形例のシステム１であれば、画像処理装置１１は、メータの針の角度と計測値との相関を示す学習情報（テーブル情報）を参照することにより、メータ毎に異なる目盛り板から読み取る計測値を確実に認識することが可能となる。
【００４６】
（第６の変形例）
図９（Ａ），（Ｂ）は、本実施形態の変形例で、カメラからの映像情報からメータを探索する機能を説明するための図である。
【００４７】
本変形例のシステム１は、図９（Ａ）に示すように、カメラ１０からの映像情報内でメータを指定することで、メータを特定するための学習情報を保存する画像処理装置１１を有する構成である。画像処理装置１１は、図９（Ｂ）に示すように、学習情報からメータとは黒縁で上３／４は白い目盛り板を有し、下１／４は黒い板という特徴（テンプレート、識別情報）を取得する。次に、画像処理装置１１は、カメラ１０からの映像情報を入力すると、当該学習情報から得られる特徴を使用して、映像情報内から自動的にメータを特定する。
【００４８】
なお、画像処理装置１１は、メータを特定するための学習情報として、特徴（テンプレート、識別情報）ではなく、メータが配置されている場所を示す情報を保存してもよい。この場合には、画像処理装置１１は、カメラ１０からの場所に対応する映像情報を入力すると、当該学習情報から得られる場所を示す情報を使用して、映像情報内から自動的にメータを特定する。
【００４９】
以上要するに、本変形例のシステム１であれば、画像処理装置１１は、メータを特定するための学習情報を参照することにより、カメラ１０からの映像情報内でメータを確実に特定して抽出するメータ抽出処理を確実に実行することが可能となる。
【００５０】
（第７の変形例）
図１０（Ａ），（Ｂ）は、本実施形態の変形例で、監視対象のメータの種類を特定する機能を説明するための図である。
【００５１】
本変形例のシステム１は、図１０（Ａ）に示すように、メータの配置図に基づいて、監視対象のメータの種類（メータの測定対象）を特定する画像処理装置１１を有する構成である。また、本変形例のシステム１は、図１０（Ｂ）に示すように、メータに付加されているラベル又はメータの形状に基づいて、監視対象のメータの種類（メータの測定対象）を特定する画像処理装置１１を有する構成である。
【００５２】
画像処理装置１１は、予めメータの配置図、メータの形状、ラベルを示す情報と、メータの種類（メータの測定対象）とを対応付けしたテーブル情報（識別情報）を記憶している。画像処理装置１１は、カメラ１０からの映像情報から配置図、メータの形状、ラベルを示す情報を抽出すると、当該テーブル情報を参照して監視対象のメータの種類（メータの測定対象）を特定する。
【００５３】
以上要するに、本変形例のシステム１であれば、画像処理装置１１は、カメラ１０からの映像情報から監視対象のメータの種類（メータの測定対象）を特定できるため、メータの計測値を認識するときに当該計測値の読み取り精度を向上することが可能となる。
【００５４】
（第８の変形例）
本実施形態の変形例として、システム１は、常時メータ２０を監視するのではなく、メータ２０を監視する必要のない時間帯には、セキュリティ用監視動作を行う構成である。即ち、本変形例のシステム１は、セキュリティ機能を併用する構成である。具体的には、カメラ１０として広角カメラを使用する場合には、メータだけでなく、例えば機械室の特定領域や廊下なども撮像できる画角にカメラ１０を設置する。また、ＰＴＺカメラを使用する場合には、プリセットの一つとして機械室の特定領域や廊下なども撮像できる画角を設定する。
【００５５】
以上のようなセキュリティ機能を併用するシステム１であれば、例えば、オフィスの空調システムのメータ２０を監視する場合に、昼間は電力消費が激しいため、メータ２０を巡回して集中的に計測値を読み取る。一方、夜間は電力消費が少ないため、システム１は、セキュリティ機能を併用し、メータ２０の監視については時間間隔を荒くした巡回で計測値を読み取るような多様な処理が可能となる。
【００５６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５７】
１…監視システム、２…盤設備、１０…カメラ、１１…画像処理装置、
１２…管理装置、１３…ネットワーク、２０…メータ。
【図１】
2011081715.tif 000003
【図２】
2011081715.tif 000004
【図３】
2011081715.tif 000005
【図４】
2011081715.tif 000006
【図５】
2011081715.tif 000007
【図６】
2011081715.tif 000008
【図７】
2011081715.tif 000009
【図８】
2011081715.tif 000010
【図９】
2011081715.tif 000011
【図１０】
2011081715.tif 000012